(57)【特許請求の範囲】
【請求項１】
アプリケーションの紹介元サイトを識別するコンテンツＩＤと前記紹介元サイトにアクセスしたユーザー端末を識別する個体識別ＩＤの組み合わせを送客情報として管理する送客情報管理部と、
送客情報に基づいて前記紹介元サイトの成果を計測する成果計測部と、
を具備し、
前記送客情報管理部は、前記ユーザー端末上で前記紹介元サイトからダウンロードするアプリケーションの選択操作が行なわれたことに応じて、前記ユーザー端末内の非接触ＩＣチップに格納された個体識別ＩＤを取得して、前記紹介元サイトのコンテンツＩＤと前記個体識別ＩＤの組み合わせからなる送客情報を保持し又は前記ユーザー端末内の非接触ＩＣに書き込んで管理し、
前記ユーザー端末にダウンロードされたアプリケーションは、所定のサーバーとの手続きを経て前記ユーザー端末上で所定の状態になったことに応じて、前記非接触ＩＣチップから個体識別ＩＤ又は送客情報を読み取って前記所定のサーバーに送信し、
前記成果計測部は、前記所定のサーバーから受信する個体識別ＩＤに該当する送客情報に記載されたコンテンツＩＤ、又は、前記所定のサーバーから受信する送客情報に記載されたコンテンツＩＤに基づいて、前記紹介元サイトの成果を計測する、
情報処理装置。
【請求項２】
前記成果計測部は、前記ユーザー端末にダウンロードされたアプリケーションの初回起動時に、所定のサーバーに対する所定の登録手続きが終了した時点で、前記紹介元サイトの成果を計測する、
請求項１に記載の情報処理装置。
【請求項３】
情報処理装置が、ユーザー端末上で紹介元サイトからダウンロードするアプリケーションの選択操作が行なわれたことに応じて、前記ユーザー端末内の非接触ＩＣチップに格納された個体識別ＩＤを取得して、前記紹介元サイトのコンテンツＩＤと前記個体識別ＩＤの組み合わせからなる送客情報を保持し又は前記ユーザー端末内の非接触ＩＣに書き込んで管理する送客情報管理ステップと、
前記ユーザー端末にダウンロードされたアプリケーションが所定のサーバーとの手続きを経て前記ユーザー端末上で所定の状態になったことに応じて、前記ユーザー端末が前記アプリケーションを実行する動作として、前記非接触ＩＣチップから個体識別ＩＤ又は送客情報を読み取って前記所定のサーバーに送信する送信ステップと、
前記情報処理装置が、前記所定のサーバーから受信する個体識別ＩＤに該当する送客情報に記載されたコンテンツＩＤ、又は、前記所定のサーバーから受信する送客情報に記載されたコンテンツＩＤに基づいて、前記紹介元サイトの成果を計測する成果計測ステップと、
を有する情報処理方法。
【請求項４】
アプリケーションの紹介元サイトと、
少なくとも個体識別ＩＤを格納した非接触ＩＣチップを装備し、アプリケーションの紹介元サイトで紹介されるアプリケーションをアプリケーション・ダウンロード・サイトからダウンロードするユーザー端末と、
ユーザー端末がダウンロードしたアプリケーションに関する所定の手続きを行なうコンテンツ供給サーバーと、
アプリケーションの紹介元サイトを識別するコンテンツＩＤと前記紹介元サイトにアクセスしたユーザー端末を識別する個体識別ＩＤの組み合わせを送客情報として管理するとともに、送客情報に基づいて前記紹介元サイトの成果を計測するアフィリエイト計測システムと、
を具備し、
前記アフィリエイト計測システムは、前記ユーザー端末上で前記紹介元サイトからダウンロードするアプリケーションの選択操作が行なわれたことに応じて、前記ユーザー端末内の非接触ＩＣチップに格納された個体識別ＩＤを取得して、前記紹介元サイトのコンテンツＩＤと前記個体識別ＩＤの組み合わせからなる送客情報を保持し又は前記ユーザー端末内の非接触ＩＣに書き込んで管理し、
前記ユーザー端末にダウンロードされたアプリケーションは、前記コンテンツ供給サーバーとの手続きを経て前記ユーザー端末上で所定の状態になったことに応じて、前記非接触ＩＣチップから個体識別ＩＤ又は送客情報を読み取って前記コンテンツ供給サーバーに送信し、
前記アフィリエイト計測システムは、前記コンテンツ供給サーバーから受信する個体識別ＩＤに該当する送客情報に記載されたコンテンツＩＤ、又は、前記所定のサーバーから受信する送客情報に記載されたコンテンツＩＤに基づいて、前記紹介元サイトの成果を計測する、
情報通信システム。
【請求項５】
アプリケーションの紹介元サイトを識別するコンテンツＩＤと前記紹介元サイトにアクセスしたユーザー端末を識別する個体識別ＩＤの組み合わせを送客情報として管理する送客情報管理部、
送客情報に基づいて前記紹介元サイトの成果を計測する成果計測部、
としてコンピューターを機能させ、
前記送客情報管理部は、前記ユーザー端末上で前記紹介元サイトからダウンロードするアプリケーションの選択操作が行なわれたことに応じて、前記ユーザー端末内の非接触ＩＣチップに格納された個体識別ＩＤを取得して、前記紹介元サイトのコンテンツＩＤと前記個体識別ＩＤの組み合わせからなる送客情報を保持し又は前記ユーザー端末内の非接触ＩＣに書き込んで管理し、
前記成果計測部は、前記ユーザー端末にダウンロードされたアプリケーションが所定のサーバーとの手続きを経て前記ユーザー端末上で所定の状態になったことに応じて前記非接触ＩＣチップから読み取った個体識別ＩＤ又は送客情報を前記所定のサーバーから受信し、受信した個体識別ＩＤに該当する送客情報に記載されたコンテンツＩＤ、又は、前記所定のサーバーから受信する送客情報に記載されたコンテンツＩＤに基づいて、前記紹介元サイトの成果を計測する、
コンピューター可読形式で記述されたコンピューター・プログラム。
【発明の詳細な説明】
【技術分野】
【０００１】
本明細書で開示する技術は、ネットワーク上でユーザー端末がアプリケーション・ダウンロード・サイトからアプリケーションをダウンロードするに至るまでの情報を計測する情報処理装置及び情報処理方法、情報通信システム、並びにコンピューター・プログラムに係り、特に、ユーザー端末上でアプリケーションを紹介した紹介元サイトをトラッキングする情報処理装置及び情報処理方法、情報通信システム、並びにコンピューター・プログラムに関する。
【背景技術】
【０００２】
近年、「アフィリエイト（ａｆｆｉｌｉａｔｅ）」と呼ばれる成果報酬型広告システムが盛んになっている。すなわち、Ｗｅｂサイトやメール・マガジンなどに企業のサイトへのリンクを張り、閲覧者がそのリンク経由で商品を購入したり会員登録を行なったりするなどの、リンク先のサイトでのサービスの利用を行なうと、リンク元のサイトの運営者への報酬が支払われる。
【０００３】
他方、Ａｎｄｒｏｉｄ  ＯＳで動作するスマートフォンなどの多機能端末において、アプリケーションのダウンロード・サービスも盛んになってきている。
【０００４】
このシステムを実現するには、広告の成果を計測する必要がある。従来は、Ｗｅｂブラウザー上で成果を計測することを想定して、ＣｏｏｋｉｅやＵＲＬ（Ｕｎｉｆｏｒｍ  Ｒｅｓｏｕｒｃｅ  Ｌｏｃａｔｏｒ）を利用してリンク元をトラックする仕組みが一般的である。
【０００５】
例えば、ユーザー端末上で動作するＷｅｂブラウザーは、紹介元サイトを識別する情報をＷｅｂブラウザーのＣｏｏｋｉｅに格納し、Ｃｏｏｋｉｅの情報を用いてサーバーと通信して計測に必要な情報の受け渡しを行なう。また、販売者のサイトにリンク誘導させるＵＲＬの中にトラッキング情報（アフィリエイトＩＤのＵＲＬ）を組み込み、その情報を用いてアフィリエイトに対する成功報酬の計算などを行なう広告配信装置について提案がなされている（例えば、特許文献１を参照のこと）。また、広告媒体サイト及び広告主と関連づけたユニークキーをＣｏｏｋｉｅとして端末に記録するアフィリエイト・トラッキング・システムについて提案がなされている（例えば、特許文献２を参照のこと）。また、アフィリエイター情報と広告主情報とを有するクッキーをユーザー端末に記録して広告主サイトのサーバーにリダイレクトし、ユーザー端末で広告主サイト内での商品又は広告素材の成果対象行為を完了したときにＣｏｏｋｉｅをユーザー端末から回収するアフィリエイト・サービス提供サーバーについて提案がなされている（例えば、特許文献３を参照のこと）。
【０００６】
しかしながら、上記のＣｏｏｋｉｅやＵＲＬを利用する計測方法では、アプリケーションのダウンロード・サイトにおいて成果をトラッキングすることが不可能な場合がある。
【０００７】
例えば、Ｗｅｂブラウザー上で閲覧中のサイトで紹介されているアプリケーションを、アプリケーション・ダウンロード・ページを介してダウンロードする場合、アプリケーション・ダウンロード・ページからアプリケーションのダウンロードを開始する時点で、本来の紹介元サイトとのつながりが切断されてしまうため、これ以降の成果トラッキングは不可能である。通常、アプリケーション・ダウンロード用のアプリケーションを起動してアプリケーション・ダウンロード・ページを閲覧することになるが、このアプリケーションがＷｅｂブラウザーと連携していないことなどが原因である。Ａｎｄｒｏｉｄ端末がマーケット・アプリケーションを起動し、Ａｎｄｒｏｉｄマーケットからアプリケーションのダウンロードを行なう場合などがこれに相当する。
【０００８】
また、アプリケーションのダウンロードした後に一定の操作を行なってから成果が発生する場合には、リンク元での成果を計測することはできない。例えば、アプリケーションの初回起動時に会員登録の手続きを行ない、登録が完了した後に成果が発生する場合、どのリンク元での成果であるかを計測することができない。
【０００９】
要するに、端末に紐付けされた信頼できる情報がないため、アプリケーションの提供者側からは紹介元のサイト経由でアプリケーションがダウンロードされたことが分からない。
【００１０】
付言すれば、ＣｏｏｋｉｅやＵＲＬを利用したアフィリエイトの仕組みでは、トラッキングＩＤが偽装されるリスクや、ユニーク性を担保できない、といったセキュリティー上の問題もある。
【００１１】
他方、非接触ＩＣカードを搭載した携帯端末についてアフィリエイトのトラッキングを行なう形態アフィリエイト・トラッキング・システムについて提案がなされている（例えば、特許文献４を参照のこと）。しかしながら、このシステムは、携帯端末のユーザーが店舗などの指定場所に来場したか否かをトラッキングすることはできるが、携帯端末にアプリーションがダウンロードされたか否かをトラッキングすることはできない。
【先行技術文献】
【特許文献】
【００１２】
【特許文献１】特開２００６−１１３８８４号公報
【特許文献２】特開２０１０−２５０７５２号公報
【特許文献３】特開２００７−１９３６１３号公報
【特許文献４】特開２００９−２７６９３２号公報
【発明の概要】
【発明が解決しようとする課題】
【００１３】
本明細書で開示する技術の目的は、ネットワーク上でユーザー端末がアプリケーション・ダウンロード・サイトからアプリケーションをダウンロードするに至るまでの情報を好適に計測することができる、優れた情報処理装置及び情報処理方法、情報通信システム、並びにコンピューター・プログラムを提供することにある。
【００１４】
本明細書で開示する技術のさらなる目的は、ユーザー端末上で利用するアプリケーションを紹介した紹介元サイトをトラッキングして、紹介元サイトの成果を計測することができる、優れた情報処理装置及び情報処理方法、情報通信システム、並びにコンピューター・プログラムを提供することにある。
【課題を解決するための手段】
【００１５】
本願は、上記課題を参酌してなされたものであり、請求項１に記載の技術は、
アプリケーションの紹介元サイトを識別するコンテンツＩＤと、前記紹介元サイトにアクセスしたユーザー端末を識別する個体識別ＩＤを取得して、送客情報として管理する送客情報管理部と、
アプリケーションをダウンロードしたユーザー端末の個体識別ＩＤを含む情報を取得して、前記送客情報管理部で管理する送客情報と照合して、対応する送客情報に含まれるコンテンツＩＤで識別される前記紹介元サイトの成果として計測する成果計測部と、
を具備する情報処理装置である。
【００１６】
本願の請求項２に記載の技術によれば、請求項１に記載の情報処理装置の前記送客情報管理部は、前記紹介元サイトにアクセスしたユーザー端末内の非接触ＩＣチップに格納された個体識別ＩＤを取得するように構成されている。
【００１７】
本願の請求項３に記載の技術によれば、請求項１に記載の情報処理装置の前記送客情報管理部は、前記ユーザー端末上で前記紹介元サイトからダウンロードするアプリケーションの選択操作が行なわれたことに応じて、前記ユーザー端末内の非接触ＩＣチップに格納された個体識別ＩＤを取得するように構成されている。
【００１８】
本願の請求項４に記載の技術によれば、請求項１に記載の情報処理装置の前記送客情報管理部は、送客情報を前記情報処理装置内で保存するように構成されている。
【００１９】
本願の請求項５に記載の技術によれば、請求項１に記載の情報処理装置の前記送客情報管理部は、送客情報を前記ユーザー端末内の非接触ＩＣチップに書き込むように構成されている。
【００２０】
本願の請求項６に記載の技術によれば、請求項１に記載の情報処理装置の前記成果計測部は、前記ユーザー端末にダウンロードされたアプリケーションが前記ユーザー端末上で所定の状態になったことに応じて、前記紹介元サイトの成果を計測するように構成されている。
【００２１】
本願の請求項７に記載の技術によれば、請求項１に記載の情報処理装置前記成果計測部は、前記ユーザー端末にダウンロードされたアプリケーションの初回起動時に、所定のサーバーに対して所定の登録手続きが終了した時点で、前記紹介元サイトの成果を計測するように構成されている。
【００２２】
本願の請求項８に記載の技術によれば、前記ユーザー端末にダウンロードされたアプリケーションは、初回起動時に前記ユーザー端末内の非接触ＩＣチップから成果の計測に必要な情報を読み取って所定のサーバーに送信するようになっている。そして、請求項１に記載の情報処理装置の前記成果計測部は、前記所定のサーバー経由で受け取った成果の計測に必要な前記情報に基づいて対応する紹介元サイトの成果を計測するように構成されている。
【００２３】
本願の請求項９に記載の技術によれば、前記ユーザー端末上で起動したアプリケーションは、前記ユーザー端末内の非接触ＩＣチップから個体識別ＩＤを読み取って所定のサーバーに送信するようになっている。そして、請求項１に記載の情報処理装置の前記成果計測部は、前記所定のサーバー経由で受け取った個体識別ＩＤを前記送客情報管理部で保存している送客情報と照会して、対応する紹介元サイトの成果を計測するように構成されている。
【００２４】
本願の請求項１０に記載の技術によれば、請求項１に記載の情報処理装置の前記送客情報管理部は、送客情報を対応するユーザー端末内の非接触ＩＣチップに書き込むように構成されている。また、前記ユーザー端末上で起動したアプリケーションは、前記ユーザー端末内の非接触ＩＣチップから送客情報を読み取って所定のサーバーに送信するようになっており、請求項１に記載の情報処理装置の前記成果計測部は、前記所定のサーバー経由で受け取った送客情報に基づいて、対応する紹介元サイトの成果を計測するように構成されている。
【００２５】
また、本願の請求項１１に記載の技術は、
アプリケーションの紹介元サイトを識別するコンテンツＩＤと、前記紹介元サイトにアクセスしたユーザー端末を識別する個体識別ＩＤを取得して、送客情報として管理する送客情報管理ステップと、
アプリケーションをダウンロードしたユーザー端末の個体識別ＩＤを含む情報を取得して、前記送客情報管理ステップにより管理する送客情報と照合して、対応する送客情報に含まれるコンテンツＩＤで識別される前記紹介元サイトの成果として計測する成果計測ステップと、
を有する情報処理方法である。
【００２６】
また、本願の請求項１２に記載の技術は、
アプリケーションの紹介元サイトと、
少なくとも個体識別ＩＤを格納した非接触ＩＣチップを装備し、アプリケーションの紹介元サイトで紹介されるアプリケーションをアプリケーション・ダウンロード・サイトからダウンロードするユーザー端末と、
ユーザー端末がダウンロードしたアプリケーションに関する所定の手続きを行なうコンテンツ供給サーバーと、
アプリケーションの紹介元サイトを識別するコンテンツＩＤと、前記紹介元サイトにアクセスしたユーザー端末を識別する個体識別ＩＤを取得して、送客情報として管理するとともに、前記所定の手続きを行なうユーザー端末内の非接触ＩＣチップから前記コンテンツ供給サーバーが読み取った情報を前記送客情報と照合して、対応する送客情報に含まれるコンテンツＩＤで識別される前記紹介元サイトの成果として計測するアフィリエイト計測システムと、
を具備する情報通信システムである。
【００２７】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００２８】
また、本願の請求項１３に記載の技術は、
アプリケーションの紹介元サイトを識別するコンテンツＩＤと、前記紹介元サイトにアクセスしたユーザー端末を識別する個体識別ＩＤを取得して、送客情報として管理する送客情報管理部、
アプリケーションをダウンロードしたユーザー端末の個体識別ＩＤを含む情報を取得して、前記送客情報管理部で管理する送客情報と照合して、対応する送客情報に含まれるコンテンツＩＤで識別される前記紹介元サイトの成果として計測する成果計測部、
としてコンピューターを機能させるようコンピューター可読形式で記述されたコンピューター・プログラムである。
【００２９】
本願の請求項１３に係るコンピューター・プログラムは、コンピューター上で所定の処理を実現するようにコンピューター可読形式で記述されたコンピューター・プログラムを定義したものである。換言すれば、本願の請求項１３に係るコンピューター・プログラムをコンピューターにインストールすることによって、コンピューター上では協働的作用が発揮され、本願の請求項１に係る情報処理装置と同様の作用効果を得ることができる。
【発明の効果】
【００３０】
本明細書で開示する技術によれば、ネットワーク上でユーザー端末がアプリケーション・ダウンロード・サイトからアプリケーションをダウンロードするに至るまでの情報を好適に計測することができる、優れた情報処理装置及び情報処理方法、情報通信システム、並びにコンピューター・プログラムを提供することができる。
【００３１】
また、本明細書で開示する技術によれば、ユーザー端末上で利用するアプリケーションを紹介した紹介元サイトをトラッキングして、紹介元サイトの成果を計測することができる、優れた情報処理装置及び情報処理方法、情報通信システム、並びにコンピューター・プログラムを提供することができる。
【００３２】
本明細書で開示する技術のさらに他の目的、特徴や利点は、後述する実施形態や添付する図面に基づくより詳細な説明によって明らかになるであろう。
【図面の簡単な説明】
【００３３】
【図１】図１は、本明細書で開示する技術を適用してアフィリエイト計測を行なう情報通信システム１００の構成を模式的に示した図である。
【図２】図２は、情報通信システム１００においてユーザー端末１１０へのアプリケーションのダウンロードと紹介元サイトの成果の計測を行なう通信シーケンス例を示した図である。
【図３】図３は、情報通信システム１００においてユーザー端末１１０へのアプリケーションのダウンロードと紹介元サイトの成果の計測を行なう通信シーケンスの他の例を示した図である。
【発明を実施するための形態】
【００３４】
以下、図面を参照しながら本明細書で開示する技術の実施形態について詳細に説明する。
【００３５】
図１には、本明細書で開示する技術を適用した情報通信システム１００の構成を模式的に示している。図示の情報通信システム１００は、ユーザー端末１１０と、アフィリエイト計測システム１２０と、アプリケーション・ダウンロード・サイト１３０と、コンテンツ供給（ＣＰ）サーバー１４０からなる。各装置１１０〜１４０は、インターネットや携帯電話網などの広域ネットワーク（図示しない）を介して相互接続されるが、ネットワーク通信自体は周知であるとともに本明細書で開示する技術の要旨に直接関連しないので、詳細な説明を省略する。
【００３６】
ユーザー端末１１０では、各種コンテンツを利用することができる。ここで言うコンテンツには、Ｗｅｂページとアプリケーションが含まれる。ユーザー端末１１０上でＷｅｂブラウザーを起動して、サーバー・サイト（後述するコンテンツ掲載サーバーなど）で掲載されているＷｅｂページのコンテンツを、Ｗｅｂブラウザー画面を介して閲覧することができる。また、ユーザー端末１１０は、Ｗｅｂブラウザーを始めいくつかのアプリケーションを標準で搭載する他、アプリケーション・ダウンロード・サイト１３０などのサーバー・サイトからアプリケーションを有償又は無償でダウンロードすることができる。いずれにせよ、ユーザー端末１１０上では、インストールしたアプリケーションをＯＳ（オペレーティング・システム）上で起動して利用することができる。ここで言うＯＳの具体例はＡｎｄｒｏｉｄ  ＯＳであり、ユーザー端末１１０はＡｎｄｒｏｉｄ  ＯＳを搭載した、「スマートフォン」などの多機能端末であってもよい。また、本実施形態では、ユーザー端末１１０が非接触ＩＣチップ１１１を搭載していることを想定している。この非接触ＩＣチップ１１１は、製造番号など個体を認識することができる個体識別ＩＤを格納しているものとする。
【００３７】
ユーザー端末１１０上で閲覧するＷｅｂページの中には、他のＷｅｂページの内容を紹介したり、アプリケーションを実行して利用できるサービスの内容を紹介したりする記述を含んだものがあり、さらに他のＷｅｂサイトへのアクセスやアプリケーションのダウンロードの操作へとユーザー誘導する作用がある。このような紹介の記述を含んだＷｅｂページや、このようなＷｅｂページを掲載するコンテンツ掲載サーバーのことを、以下では「紹介元サイト」と呼ぶことにする。紹介元サイト若しくは紹介元サイトで提供するＷｅｂコンテンツは、固有のコンテンツＩＤを持っているものとする。また、ユーザーがユーザー端末１１０上で閲覧した紹介元サイト上でアンカーを選択するなど、紹介元サイトに誘導されて次のＷｅｂページにジャンプしたり、アプリケーションをダウンロードしたりすることを、以下では紹介元サイトの「成果」と呼ぶことにする。そして、ユーザー端末１１０上で利用するに至ったアプリケーションがどこの紹介元サイトからの誘導によるかをトラッキングすることを、紹介元サイトの成果の「計測」と呼ぶことにする。後述するように、本実施形態では、ユーザー端末と、ユーザー端末にアプリケーションを紹介した紹介元サイトを関連付けた情報を、「送客情報」として管理する。
【００３８】
アプリケーション・ダウンロード・サイト１３０は、ユーザー端末１１０上で実行可能な各種アプリケーションを提供するサーバー・サイトである。Ａｎｄｒｏｉｄマーケットなどがアプリケーション・ダウンロード・サイト１３０に相当する。一方、アプリケーション提供業者は、マーケット・サーバー（図１では図示しない）上でアプリケーションを公開しており、アプリケーション・ダウンロード・サイト１３０は、マーケット・サーバーからダウンロードするアプリケーションへのリンクを有している。
【００３９】
以下では、説明の便宜上、ユーザー端末１１０がダウンロードするアプリケーションはＷｅｂブラウザー上で閲覧した紹介元サイトで紹介されたもののみに限定し、また、ユーザー端末１１０はアプリケーション・ダウンロード・サイト１３０経由でのみアプリケーションのダウンロードを行なう、という手順を前提とする。
【００４０】
ここで、マーケット・サーバーからユーザー端末１１０へのアプリケーションのダウンロードは、アプリケーション・ダウンロード・サイト１３０経由で行なわれることから、マーケット・サーバーからアプリケーション・ダウンロード・サイト１３０をトラッキングすることは可能である。しかしながら、ユーザー端末１１０（厳密には、ユーザー端末１１０のユーザー）にアプリケーションを紹介し、ダウンロードへ誘導したのは紹介元サイトであり、その成果はアプリケーション・ダウンロード・サイト１３０ではなく、紹介元サイトである、という点に十分留意されたい。すなわち、マーケット・サーバー（若しくは、マーケット・サーバー上でアプリケーションを提供するアプリケーション提供業者）は、ユーザー端末１１０がアプリケーションをダウンロードしたことの成果の報酬を支払うならば、アプリケーション・ダウンロード・サイト１３０ではなく、紹介元サイトとなるべきである。
【００４１】
ＣＰ（Ｃｏｎｔｅｎｔ  Ｐｒｏｖｏｄｅｒ）サーバー１４０は、ユーザー端末１１０上で、アプリケーション・ダウンロード・サイト１３０からダウンロードしたアプリケーションの初回起動時に会員登録などの手続きの処理を行なうサーバー・サイトである。ＣＰサーバー１４０への登録手続きが求められるアプリケーションのことを、以下では「ＣＰアプリケーション」とも呼ぶ。ＣＰアプリケーションは、単にユーザー端末１１０がマーケット・サーバーから当該アプリケーションのコンテンツをダウンロードするだけでなく、引き続きＣＰサーバー１４０への登録手続きを完了しなければ、ユーザー端末１１０上で実行して利用することはできない。このような場合、紹介元サイトの成果は、ユーザー端末１１０にＣＰアプリケーションをダウンロードした時点ではなく、ＣＰサーバー１４０への登録手続きが完了した時点ということになる。したがって、紹介元サイトの成果を計測するには、ＣＰサーバー１４０への登録手続きが完了した時点で、ＣＰアプリケーションがどこの紹介元サイトからの誘導によりユーザー端末１１０にダウンロードしたかをトラッキングする必要がある。以下では、ユーザー端末１１０にダウンロードするアプリケーションはＣＰアプリケーションであることを前提として、紹介元サイトの成果の計測について説明する。
【００４２】
例えばユーザー端末１１０がＡｎｄｒｏｉｄ  ＯＳを搭載した多機能端末である場合、紹介元サイトを閲覧するＷｅｂブラウザーから直接アプリケーションをダウンロードすることはできず、一旦アプリケーション・ダウンロード・サイト１３０にアクセスしてアプリケーションをダウンロードするには、一旦マーケット・アプリケーションを起動してＡｎｄｒｏｉｄマーケットなどのアプリケーション・ダウンロード・サイト１３０にアクセスすることになる。さらにその後、ＣＰサーバー１４０に登録手続きを行なうことになる。
【００４３】
従来は（言い換えれば、アプリケーション・ダウンロード・サイト１３０を介さないでＷｅｂブラウザー上から直接アプリケーションをダウンロードできる仕組みでは）、Ｃｏｏｋｉｅ（Ｗｅｂブラウザーを通じてユーザー端末１１０内にＷｅｂサイトの情報を一時的に書き込む仕組み）やＵＲＬを利用して、紹介元サイトをトラッキングするのが主流であった（前述）。しかしながら、上記のように本実施形態で想定するケースでは、マーケット・アプリケーションがＷｅｂブラウザーと連携していないため紹介元サイトの情報をユーザー端末１１０内に残すことができないことや、マーケット・サーバーからＣＰアプリケーションをダウンロードした時点ではなくＣＰアプリケーションの初回起動時にＣＰサーバー１４０への登録手続きを完了して紹介元サイトの成果が生じることなどに起因して、ＣｏｏｋｉｅやＵＲＬを利用する仕組みでは、ＣＰアプリケーションのダウンロードをトラッキングすることができず、紹介元サイトの成果を計測できないという問題がある。
【００４４】
ユーザー端末１１０が非接触ＩＣチップ１１１を搭載し、製造番号など個体を認識することができる個体識別ＩＤを格納していることは既に述べた。そこで、本実施形態では、ユーザー端末１１０内の非接触ＩＣチップ１１１とアフィリエイト計測システム１２０が連携することで、ユーザー端末１１０がＷｅｂブラウザーからではなくアプリケーション・ダウンロード・サイト１３０を経由してアプリケーションをダウンロードした場合や、さらにＣＰサーバー１４０に対して登録手続きを行なう場合であっても、本来ユーザー端末１１０にアプリケーションを紹介した紹介元サイトをトラッキングし、紹介元サイトの成果の計測を実現している。「送客情報」をアフィリエイト計測システム１２０で保持し若しくは非接触ＩＣチップ１１１上に格納し、ＣＰサーバー１４０で取得した情報と照合することで、コンテンツ掲載の成果のトラッキングを可能にしている。
【００４５】
なお、非接触ＩＣチップ１１１は、耐タンパ性を有しており、認証済みのユーザーのみがアクセス可能である。非接触ＩＣチップ１１１は、例えば、ＦｅｌｉＣａなどのＮＦＣ（Ｎｅａｒ  Ｆｉｅｌｄ  Ｃｏｍｍｕｎｉｃａｔｉｏｎ）通信方式を採用する。但し、非接触ＩＣチップへのアクセス動作や認証技術自体は周知であるとともに本明細書で開示する技術の要旨に直接関連しないので、詳細な説明を省略する。また、非接触ＩＣチップへの読み込みを行なうリーダー・ライター装置（ＲＷ）の図示も省略する。以下では、非接触ＩＣチップ１１１にアクセスする装置は、認証機能を装備していることを前提とする。
【００４６】
アフィリエイト計測システム１２０は、アフィリエイト・サーバー１２１と、非接触ＩＣチップ・アクセス機能部１２２を備えている。アフィリエイト・サーバー１２１は、コンテンツ掲載サーバーで掲載するコンテンツ掲載の成果をトラッキングする。なお、アフィリエイト・サーバー１２１自体がコンテンツ掲載サーバー機能を持ち、紹介元サイトとしての役割を果たすこともある。非接触ＩＣチップ・アクセス機能部１２２は、紹介元サイトにアクセスしたユーザー端末１１０内の非接触ＩＣチップ１１１にアクセスして、紹介元サイトの成果を計測するために必要な情報の読み出し又は書き込みを行なう。なお、本明細書で開示する技術の要旨は、アフィリエイト計測システム１２０内に非接触ＩＣチップ・アクセス機能部１２２を備えるというシステム構成には限定されない。例えば、アフィリエイト計測システム１２０外部に非接触ＩＣチップ・アクセス機能サーバー（図１では図示しない）を設置して、アフィリエイト計測システム１２０はこの非接触ＩＣチップ・アクセス機能サーバーに対して、ユーザー端末１１０内の非接触ＩＣチップ１１１へのアクセス（すなわち、紹介元サイトの成果を計測するために必要な情報の読み出し又は書き込み）を要求するようにしてもよい。
【００４７】
アフィリエイト・サーバー１２１は、送客情報を管理する送客情報管理部１２１Ａと、送客情報に基づいて紹介元サイトの成果を計測する成果計測部１２１Ｂを備えている。ここで言う「送客情報」とは、ユーザー端末１１０がアクセスした紹介元サイト（若しくはそのＷｅｂコンテンツ）のコンテンツＩＤと、紹介元サイトにアクセスしたユーザー端末１１０の個体識別ＩＤの組み合わせからなる。但し、アフィリエイト・サーバー１２１自体がコンテンツ掲載サーバー機能を持ち、紹介元サイトとしての役割を果たす場合には、「送客情報」はアクセスしたユーザー端末１１０の個体識別ＩＤのみとなる。
【００４８】
送客情報管理部１２１Ａは、ユーザー端末１１０側でＷｅｂブラウザーから閲覧したコンテンツすなわち紹介元サイトを識別するコンテンツＩＤを取得する。また、非接触ＩＣチップ・アクセス機能部１２２は、コンテンツにアクセスしたユーザー端末１１０の個体識別ＩＤを、非接触ＩＣチップ１１１から読み出す。そして、送客情報管理部１２１Ａは、取得したコンテンツＩＤと個体識別ＩＤの組み合わせからなる「送客情報」を保持しておくことによって、以降の成果計測部１２１Ｂによるトラッキングを可能にしている。又は、送客情報管理部１２１Ａは、非接触ＩＣチップ・アクセス機能部１２２ユーザー端末１００内の非接触ＩＣチップ１１１に「送客情報」を書き込んでおくことによっても、以降の成果計測部１２１Ｂによるトラッキングを可能にすることができる。
【００４９】
情報通信システム１００で成果トラッキングを行なう流れについて説明する。
【００５０】
（１）コンテンツ閲覧
ユーザー端末１１０で起動するＷｅｂブラウザーから、アフィリエイト計測システム１２０と連携しているコンテンツ掲載サーバー（紹介元サイト）のコンテンツ（若しくは、アフィリエイト・サーバー１２１で掲載を実施しているコンテンツ）を閲覧する。
【００５１】
アフィリエイト・サーバー１２１は、ユーザー端末１１０側のＷｅｂブラウザーが閲覧している紹介元サイトのコンテンツＩＤを取得する。
【００５２】
（２）送客情報の取得
ユーザー端末１１０でＷｅｂブラウザーにより閲覧中の紹介元サイトでは、ダウンロードが可能なアプリケーションの紹介がなされている。ユーザー端末１１０上では、マーケット・アプリケーションなどのダウンロード用のアプリケーションを起動して、Ａｎｄｒｏｉｄマーケットのようなアプリケーション・ダウンロード・サイト１３０にアクセスする。
【００５３】
ユーザー端末１１０上で、Ｗｅｂブラウザーが表示するコンテンツ掲載サーバーからアプリケーション・ダウンロード・ページへ遷移する際に、アフィリエイト計測システム１２０の非接触ＩＣチップ・アクセス機能部１２２は、ユーザー端末１１０の非接触ＩＣチップ・アクセス・ツールを通じて、所定の認証処理を経て耐タンパ性のある非接触ＩＣチップ１１１にアクセスして、個体識別ＩＤを取得する。非接触ＩＣチップ・アクセス・ツールは、例えばＷｅｂブラウザーに組み込まれるＷｅｂプラグインであり、認証処理など所定の手続きを経て、耐タンパ性のある非接触ＩＣチップ１１１に対してデータの読み出し及び書き込みを行なうことができる。あるいは、アフィリエイト計測システム１２０自体は、非接触ＩＣチップ１１１に認証アクセスする手段を持たず、同手段を備えた非接触ＩＣチップ・アクセス機能サーバー（図１には図示しない）に対し、非接触ＩＣチップ１１１から個体識別ＩＤの取得を要求するようにしてもよい。アフィリエイト計測システム１２０は、非接触ＩＣチップ１１１が持つ個体識別ＩＤを通じて、アプリケーションのダウンロードを実施するユーザー端末１１０を特定する。
【００５４】
アフィリエイト・サーバー１２１の送客情報管理部１２１Ａは、取得したコンテンツＩＤと個体識別ＩＤの組み合わせからなる「送客情報」を、自身で保持しておく。又は、送客情報管理部１２１Ａは、非接触ＩＣチップ・アクセス機能部１２２並びにユーザー端末１１０側の非接触ＩＣチップ・アクセス・ツールを通じて非接触ＩＣチップ１１１にコンテンツＩＤを書き込んで、コンテンツＩＤと個体識別ＩＤの組み合わせからなる「送客情報」を、アプリケーションをダウンロードするユーザー端末１１０内で管理する。
【００５５】
非接触ＩＣチップ１１１は、耐タンパ性があり、ユーザー端末１１０のＷｅｂブラウザーにプラグインした非接触ＩＣチップ・アクセス・ツールを介した認証など所定の手続きを経てからでないと、内部のデータにアクセスできない。したがって、非接触ＩＣチップ１１１から個体識別ＩＤを取得する際に、ユーザー端末１１０のミドルウェア（例えば、ＦｅｌｉＣａ  ＯＳ）を介してアフィリエイト・サーバー１２１と通信する場合、紹介元サイトのなりすましや成果の偽装を排除することができ、非接触ＩＣチップ１１１から読み取った個体識別ＩＤや非接触ＩＣチップ１１１に書き込んだコンテンツＩＤは非常に安全な値となる。
【００５６】
（３）アプリケーションのダウンロード
ユーザー端末１１０は、アクセスしたアプリケーション・ダウンロード・サイト１３０を通じて、マーケット・サーバーから所望のアプリケーションをダウンロードする。
【００５７】
（４）個体識別ＩＤの取得
ＣＰサーバー１４０は、例えば、ユーザー端末１１０にダウンロードしたアプリケーションの提供者によって運営されている。ＣＰサーバー１４０では、ユーザー端末１１０側でダウンロードしたＣＰアプリケーションの初回起動時において、会員登録手続きを行なう。会員登録の完了などのＣＰアプリケーションの提供者が求めるステータスになったことを以って、ユーザー端末１１０上でダウンロードしたＣＰアプリケーションの実行が可能になるとともに、コンテンツ掲載サーバー（紹介元サイト）がこのＣＰアプリケーションを紹介したことに対する成果が発生する。
【００５８】
本実施形態では、ＣＰアプリケーションは、ユーザー端末１１０にダウンロードされた後、耐タンパ性のある非接触ＩＣチップ１１１にアクセスする機能を備えていることを前提とする。
【００５９】
ＣＰサーバー１４０は、後段の紹介元サイトの成果の計測処理のために、ＣＰアプリケーションの登録手続きを行なうユーザー端末１１０内の非接触ＩＣチップ１１１から、個体識別ＩＤ又は送客情報を取得する。具体的には、ユーザー端末１１０上でダウンロードしたアプリケーションを初回に起動したときに、ＣＰアプリケーションが非接触ＩＣチップ１１１から個体識別ＩＤ又は送客情報を読み取る。そして、取得した個体識別ＩＤ又は送客情報など成果の情報を、アフィリエイト・サーバー１２１内の成果測定部１２１Ｂに送信する。
【００６０】
（５）成果情報の計測
上述したように、アフィリエイト・サーバー１２１内の送客情報管理部１２１Ａは、紹介元サイトにアクセスしたユーザー端末１１０の個体識別ＩＤと、紹介元サイトのコンテンツＩＤの組み合わせからなる送客情報を、アフィリエイト・サーバー１２１内で保存するか、又は、ユーザー端末１１０内の非接触ＩＣチップ１１１に書き込むことによって、管理している。また、ユーザー端末１１０がダウンロードしたアプリケーションを初回起動してＣＰサーバー１４０に対して登録手続きが完了した時点で、紹介元サイトの「成果」が発生する。いずれの管理方法で送客情報を管理するにせよ、成果測定部１２１Ｂは、成果が発生した送客情報を集計することで、紹介元サイトの成果を測定することができる。例えば、あるコンテンツＩＤを持つ送客情報のうち成果が発生したものの総数は、該当する紹介元サイトにおいて紹介したにより誘導されてアプリケーションを利用するにいたったユーザー端末の台数であり、紹介元サイトの成果に相当する。
【００６１】
アフィリエイト計測システム１２０内では、成果計測部１２１Ｂが、ＣＰサーバー１４０から受信した情報を送客情報管理部１２１Ａで保持している情報と照合することによって、紹介元サイトの成果の計測を行なう。
【００６２】
アフィリエイト・サーバー１２１内で送客情報を保持することによって送客情報管理部１２１Ａが送客情報を管理している場合、ＣＰサーバー１４０は、ＣＰアプリケーションの初回登録を行なうユーザー端末１１０内の非接触ＩＣチップ１１１からＣＰアプリケーションを通じて個体識別ＩＤを読み取って、アフィリエイト・サーバー１２１に送信する。そして、成果情報測定部１２１Ｂは、アフィリエイト・サーバー１２１内で保持している送客情報と、受信した個体識別ＩＤを照合して、該当する送客情報に記載されたコンテンツＩＤに対応する紹介元サイトの成果が発生したことを突き止めることができる。
【００６３】
また、アフィリエイト・サーバー１２１内では送客情報を保持せず、ユーザー端末１１０内の非接触ＩＣチップ１１１に書き込んで管理している場合には、ＣＰサーバー１４０は、ＣＰアプリケーションの初回登録を行なうユーザー端末１１０内の非接触ＩＣチップ１１１から送客情報を読み取って、アフィリエイト・サーバー１２１に送信する。そして、成果情報測定部１２１Ｂは、受信した送客情報に記載されたコンテンツＩＤに対応する紹介元サイトの成果が発生したことを突き止めることができる。
【００６４】
成果測定部１２１Ｂがいずれの計測方法を実施するにせよ、紹介元サイトの成果の測定に用いる送客情報や個体識別ＩＤは、耐タンパ性のある非接触ＩＣチップ１１１から読み取った安全な値であるので、紹介元サイトのなりすましや成果の偽装が行なわれるおそれがない。
【００６５】
図２には、図１に示した情報通信システム１００においてユーザー端末１１０へのアプリケーションのダウンロードと紹介元サイトの成果の計測を行なう通信シーケンス例を示している。
【００６６】
ユーザー端末１１０では、Ｗｅｂブラウザーが起動しているとともに、Ｗｅｂプラグインである非接触ＩＣチップ・アクセス・ツールがＷｅｂブラウザーにプラグインされている。
【００６７】
ユーザー端末１１０のＷｅｂブラウザーで、該当するプッシュ・ボタン又はリンク・ボタンを操作すると、コンテンツ掲載サーバー（紹介元サイト）にコンテンツ一覧ページ取得要求が送信される。これに対し、コンテンツ掲載サーバーは、例えばＨＴＭＬ（Ｈｙｐｅｒ  Ｔｅｘｔ  Ｍａｒｋｕｐ  Ｌａｇｕａｇｅ）形式のコンテンツ一覧ページをＷｅｂブラウザーに返信する。但し、アフィリエイト・サーバー１２１がコンテンツ掲載サーバー（紹介元サイト）を兼ね、コンテンツ一覧ページの掲載・配信を実施する場合もある。
【００６８】
次いで、ユーザー端末１１０のＷｅｂブラウザーはランディング・ページを画面に表示する。そして、このランディング・ページを通じて、ユーザー端末１１０にダウンロードするアプリケーションなどのコンテンツ（ＤＬコンテンツ）の選択操作が行なわれる。そして、選択操作が行なわれたことに応じて、アプリケーションのダウンロード要求が行なわれたことがアフィリエイト・サーバー１２１に通知される。ダウンロード要求されたアプリケーションは、ＣＰアプリケーション（前述）とする。
【００６９】
アフィリエイト・サーバー１２１内の送客情報管理部１２１Ａは、アプリケーションのダウンロード要求が行なわれたページすなわち紹介元サイトのコンテンツＩＤを取得し保存する。そして、アフィリエイト・サーバー１２１は、ダウンロード要求したユーザー端末１１０内の非接触ＩＣチップ１１１に格納された個体識別ＩＤの読み取り動作を開始する。
【００７０】
アフィリエイト・サーバー１２１内の送客情報管理部１２１Ａは、個体識別ＩＤの読み取り処理を実施するために、ユーザー端末１１０で、Ｗｅｂプラグインである非接触ＩＣチップ・アクセス・ツールの起動画面を表示させる。これに対し、Ｗｅｂブラウザーは、この起動画面を表示するとともに、非接触ＩＣチップ・アクセス・ツールを起動する。
【００７１】
アフィリエイト・サーバー１２１内の送客情報管理部１２１Ａは、非接触ＩＣチップ・アクセス機能部１２２を通じて非接触ＩＣチップ・アクセス・ツールと通信して、非接触ＩＣチップ１１１から個体識別ＩＤの読み取りを行なわせる。
【００７２】
そして、アフィリエイト・サーバー１２１内の送客情報管理部１２１Ａは、非接触ＩＣチップ・アクセス・ツールによる個体識別ＩＤの読み取り結果をＷｅｂブラウザーから受信すると、上記の取得済みの紹介元サイトのコンテンツＩＤと紐付けして送客情報としてアフィリエイト・サーバー１２１内で保存する。あるいは、アフィリエイト・サーバー１２１内の送客情報管理部１２１Ａは、この送客情報を、非接触ＩＣチップ・アクセス・ツールを通じて、ユーザー端末１１０内の非接触ＩＣチップ１１１に書き込んで、非接触ＩＣチップ１１１を利用して管理するようにしてもよい。
【００７３】
その後、アフィリエイト・サーバー１２１は、ユーザー端末１１０でＣＰサーバー１４０からＣＰアプリケーションのダウンロードを開始するために、マーケット・アプリケーションへの起動画面を表示させる。
【００７４】
これに対し、ユーザー端末１１０上では、マーケット・アプリケーションを起動して、Ａｎｄｒｏｉｄマーケットのようなアプリケーション・ダウンロード・サイト１３０にアクセスし、Ｗｅｂブラウザー画面から遷移する。そして、ユーザー端末１１０は、アプリケーション・ダウンロード・サイト１３０の画面を通じて、選択されたＣＰアプリケーションのコンテンツをマーケット・サーバーからダウンロードする。
【００７５】
ユーザー端末１１０では、アプリケーションのダウンロードが終了すると、そのアブケーションのアイコンがホーム画面上に配置され、アイコンの選択操作を通じてアプリケーションを起動することができる。ユーザー端末１１０でＣＰアプリケーションを初回起動したとき、ＣＰサーバー１４０に対する会員登録などの一定の操作を行なう。
【００７６】
アプリケーションは、初回起動時において、ユーザー端末１１０内の非接触ＩＣチップ１１１から、個体識別ＩＤを読み取る。又は、アプリケーション・ダウンロード・サイト１３０へ遷移する際に、送客情報を非接触ＩＣチップ１１１内に書き込んでいる場合には、送客情報を読み取る。そして、ＣＰアプリケーションは、ＣＰサーバー１４０に対し、個体識別ＩＤ若しくは送客情報を送信する。
【００７７】
ユーザー端末１１０のＣＰサーバー１４０への会員登録手続きの終了などのＣＰアプリケーションの提供者が求めるステータスになった時点で、コンテンツ掲載サーバー（紹介元サイト）がこのＣＰアプリケーションを紹介したことに対する成果が発生する。
【００７８】
ＣＰサーバー１４０は、後段の紹介元サイトの成果の計測処理のために、ＣＰアプリケーションの登録手続きを行なうユーザー端末１１０内の非接触ＩＣチップ１１１から、個体識別ＩＤ又は送客情報を取得する。具体的には、ユーザー端末１１０上でダウンロードしたアプリケーションを初回に起動したときに、ＣＰアプリケーションが非接触ＩＣチップ１１１から個体識別ＩＤ又は送客情報を読み取る。そして、取得した個体識別ＩＤ又は送客情報など成果の情報を、アフィリエイト・サーバー１２１内の成果測定部１２１Ｂに送信する。
【００７９】
アフィリエイト・サーバー１２１内では、成果測定部１２１Ｂが、ＣＰサーバー１４０から受信した情報を送客情報管理部１２１Ａで保持している情報と照合することによって、紹介元サイトの成果の計測を行なう。
【００８０】
アフィリエイト・サーバー１２１内で送客情報を保持することによって送客情報管理部１２１Ａが送客情報を管理している場合、ＣＰサーバー１４０は、ＣＰアプリケーションの初回登録を行なうユーザー端末１１０内の非接触ＩＣチップ１１１からＣＰアプリケーションを通じて個体識別ＩＤを読み取ると、これをアフィリエイト・サーバー１２１に送信する。
【００８１】
また、アフィリエイト・サーバー１２１内では送客情報を保持せず、ユーザー端末１１０内の非接触ＩＣチップ１１１に書き込んで管理している場合には、ＣＰサーバー１４０は、ＣＰアプリケーションの初回登録を行なうユーザー端末１１０内の非接触ＩＣチップ１１１から送客情報を読み取ると、これをアフィリエイト・サーバー１２１に送信する。
【００８２】
そして、アフィリエイト・サーバー１２１は、ＣＰサーバー１４０から個体識別ＩＤ若しくは送客情報を受信すると、紹介元サイトの成果の計測を行なうとともに、ＣＰサーバー１４０にレスポンスを返信する。ＣＰサーバー１４０がユーザー端末１１０で起動するアプリケーションにレスポンスを返信することで、ユーザー端末１１０上でアプリケーションの利用が可能になる。
【００８３】
図３には、図１に示した情報通信システム１００においてユーザー端末１１０へのアプリケーションのダウンロードと紹介元サイトの成果の計測を行なう通信シーケンスの他の例を示している。図示の通信シーケンスは、アフィリエイト・サーバー１２１が外部の非接触ＩＣチップ・アクセス機能サーバーに対して、ユーザー端末１１０内の非接触ＩＣチップ１１１へのアクセスを要求する点で、図２に示した通信シーケンスとは相違する。
【００８４】
ユーザー端末１１０のＷｅｂブラウザーで、該当するプッシュ・ボタン又はリンク・ボタンを操作すると、コンテンツ掲載サーバー（紹介元サイト）にコンテンツ一覧ページ取得要求が送信される。これに対し、コンテンツ掲載サーバーは、例えばＨＴＭＬ形式のコンテンツ一覧ページをＷｅｂブラウザーに返信する。但し、アフィリエイト・サーバー１２１がコンテンツ掲載サーバー（紹介元サイト）を兼ね、コンテンツ一覧ページの掲載・配信を実施する場合もある。
【００８５】
次いで、ユーザー端末１１０のＷｅｂブラウザーはランディング・ページを画面に表示する。そして、このランディング・ページを通じて、ユーザー端末１１０にダウンロードするコンテンツの選択操作が行なわれる。そして、選択操作が行なわれたことに応じて、アプリケーションのダウンロード要求がアフィリエイト・サーバー１２１に通知される。ダウンロード要求されたアプリケーションは、ＣＰアプリケーション（前述）とする。
【００８６】
アフィリエイト・サーバー１２１内の送客情報管理部１２１Ａは、アプリケーションのダウンロード要求が行なわれたページすなわち紹介元サイトのコンテンツＩＤを取得し保存する。そして、アフィリエイト・サーバー１２１は、ダウンロード要求したユーザー端末１１０内の非接触ＩＣチップ１１１に格納された個体識別ＩＤの読み取りを、非接触ＩＣチップ・アクセス機能サーバーに要求する。また、アフィリエイト・サーバー１２１は、ユーザー端末１１０のＷｅｂブラウザーに対し、非接触ＩＣチップ・アクセス機能サーバーへリダイレクトする旨の応答を返す。
【００８７】
非接触ＩＣチップ・アクセス機能サーバーは、個体識別ＩＤの読み取り処理を実施するために、ユーザー端末１１０で、Ｗｅｂプラグインである非接触ＩＣチップ・アクセス・ツールの起動画面を表示させる。これに対し、Ｗｅｂブラウザーは、この起動画面を表示するとともに、非接触ＩＣチップ・アクセス・ツールを起動する。
【００８８】
非接触ＩＣチップ・アクセス機能サーバーは、起動した非接触ＩＣチップ・アクセス・ツールと通信して、非接触ＩＣチップ１１１から個体識別ＩＤの読み取りを行なわせる。そして、非接触ＩＣチップ・アクセス機能サーバーは、アフィリエイト・サーバー１２１への応答として、ＩＤの読み取り結果を返す。
【００８９】
アフィリエイト・サーバー１２１内の送客情報管理部１２１Ａは、非接触ＩＣチップ・アクセス機能サーバーからの応答を受け取ると、上記の取得済みの紹介元サイトのコンテンツＩＤと紐付けして送客情報として保存する。あるいは、アフィリエイト・サーバー１２１内の送客情報管理部１２１Ａは、この送客情報を、非接触ＩＣチップ・アクセス機能サーバーを通じて、ユーザー端末１１０内の非接触ＩＣチップ１１１に書き込んで、非接触ＩＣチップ１１１を利用して管理するようにしてもよい。
【００９０】
その後、アフィリエイト・サーバー１２１は、ユーザー端末１１０でＣＰサーバー１４０からＣＰアプリケーションのダウンロードを開始するために、マーケット・アプリケーションへの起動画面を表示させる。
【００９１】
これに対し、ユーザー端末１１０上では、マーケット・アプリケーションを起動して、Ａｎｄｒｏｉｄマーケットのようなアプリケーション・ダウンロード・サイト１３０にアクセスし、Ｗｅｂブラウザー画面から遷移する。そして、ユーザー端末１１０は、アプリケーション・ダウンロード・サイト１３０の画面を通じて、選択されたＣＰアプリケーションのコンテンツをマーケット・サーバーからダウンロードする。
【００９２】
ユーザー端末１１０では、アプリケーションのダウンロードが終了すると、そのアブケーションのアイコンがホーム画面上に配置され、アイコンの選択操作を通じてアプリケーションを起動することができる。ユーザー端末１１０でＣＰアプリケーションを初回起動したとき、ＣＰサーバー１４０に対する会員登録などの一定の操作を行なう。
【００９３】
アプリケーションは、初回起動時において、ユーザー端末１１０内の非接触ＩＣチップ１１１から、個体識別ＩＤを読み取る。又は、アプリケーション・ダウンロード・サイト１３０へ遷移する際に、送客情報を非接触ＩＣチップ１１１内に書き込んでいる場合には、送客情報を読み取る。そして、ＣＰアプリケーションは、ＣＰサーバー１４０に対し、個体識別ＩＤ若しくは送客情報を送信する。
【００９４】
ユーザー端末１１０のＣＰサーバー１４０への会員登録手続きの終了などのＣＰアプリケーションの提供者が求めるステータスになった時点で、コンテンツ掲載サーバー（紹介元サイト）がこのＣＰアプリケーションを紹介したことに対する成果が発生する。
【００９５】
ＣＰサーバー１４０は、後段の紹介元サイトの成果の計測処理のために、ＣＰアプリケーションの登録手続きを行なうユーザー端末１１０内の非接触ＩＣチップ１１１から、個体識別ＩＤ又は送客情報を取得する。具体的には、ユーザー端末１１０上でダウンロードしたアプリケーションを初回に起動したときに、ＣＰアプリケーションが非接触ＩＣチップ１１１から個体識別ＩＤ又は送客情報を読み取る。そして、取得した個体識別ＩＤ又は送客情報など成果の情報を、アフィリエイト・サーバー１２１内の成果測定部１２１Ｂに送信する。
【００９６】
アフィリエイト・サーバー１２１内では、成果測定部１２１Ｂが、ＣＰサーバー１４０から受信した情報を送客情報管理部１２１Ａで保持している情報と照合することによって、紹介元サイトの成果の計測を行なう。
【００９７】
アフィリエイト・サーバー１２１内で送客情報を保持することによって送客情報管理部１２１Ａが送客情報を管理している場合、ＣＰサーバー１４０は、ＣＰアプリケーションの初回登録を行なうユーザー端末１１０内の非接触ＩＣチップ１１１からＣＰアプリケーションを通じて個体識別ＩＤを読み取ると、これをアフィリエイト・サーバー１２１に送信する。
【００９８】
また、アフィリエイト・サーバー１２１内では送客情報を保持せず、ユーザー端末１１０内の非接触ＩＣチップ１１１に書き込んで管理している場合には、ＣＰサーバー１４０は、ＣＰアプリケーションの初回登録を行なうユーザー端末１１０内の非接触ＩＣチップ１１１から送客情報を読み取ると、これをアフィリエイト・サーバー１２１に送信する。
【００９９】
そして、アフィリエイト・サーバー１２１は、ＣＰサーバー１４０から個体識別ＩＤ若しくは送客情報を受信すると、紹介元サイトの成果の計測を行なうとともに、ＣＰサーバー１４０にレスポンスを返信する。ＣＰサーバー１４０がユーザー端末１１０で起動するアプリケーションにレスポンスを返信することで、ユーザー端末１１０上でアプリケーションの利用が可能になる。
【０１００】
本実施形態に係る情報通信システム１００では、ユーザー端末１１０内の非接触ＩＣチップに格納された、紹介元サイトのなりすましや成果の偽装が不可能な安全な値を利用しているので、アフィリエイトの成果の偽装を防止することができる。
【０１０１】
また、本実施形態に係る情報通信システム１００では、ユーザー端末１１０で、Ｗｅｂブラウザーのアプリケーション紹介ページからアプリケーション・ダウンロード・サイトへ画面が遷移したときだけではなく、実際にアプリケーションがユーザー端末１１０にダウンロードが完了した時点までトラッキングすることができる。したがって、ユーザー端末１１０がＡｎｄｒｏｉｄマーケットのようなダウンロード・サイトを介してアプリケーションをダウンロードする場合であっても、アプリケーション提供者は紹介元のサイトをトラッキングすることができ、正確なアフィリエイト・サービスを実現することができる。
【０１０２】
また、本実施形態に係る情報通信システム１００では、ユーザー端末１１０にアプリケーションをダウンロードした時点ではなく、会員登録の手続きなどダウンロードした後の一定の操作を行なってから成果が発生する場合であっても、トラッキングすることが可能である。すなわち、ダウンロード完了時や会員登録時など、アプリケーション提供者が求めるステータスでのアフィリエイトの成果を計測することができる。
【０１０３】
なお、本明細書の開示の技術は、以下のような構成をとることも可能である。
（１）アプリケーションの紹介元サイトを識別するコンテンツＩＤと、前記紹介元サイトにアクセスしたユーザー端末を識別する個体識別ＩＤを取得して、送客情報として管理する送客情報管理部と、アプリケーションをダウンロードしたユーザー端末の個体識別ＩＤを含む情報を取得して、前記送客情報管理部で管理する送客情報と照合して、対応する送客情報に含まれるコンテンツＩＤで識別される前記紹介元サイトの成果として計測する成果計測部と、を具備する情報処理装置。
（２）前記送客情報管理部は、前記紹介元サイトにアクセスしたユーザー端末内の非接触ＩＣチップに格納された個体識別ＩＤを取得する、上記（１）に記載の情報処理装置。
（３）前記送客情報管理部は、前記ユーザー端末上で前記紹介元サイトからダウンロードするアプリケーションの選択操作が行なわれたことに応じて、前記ユーザー端末内の非接触ＩＣチップに格納された個体識別ＩＤを取得する、上記（１）に記載の情報処理装置。
（４）前記送客情報管理部は、送客情報を前記情報処理装置内で保存する、上記（１）に記載の情報処理装置。
（５）前記送客情報管理部は、送客情報を前記ユーザー端末内の非接触ＩＣチップに書き込む、上記（１）に記載の情報処理装置。
（６）前記成果計測部は、前記ユーザー端末にダウンロードされたアプリケーションが前記ユーザー端末上で所定の状態になったことに応じて、前記紹介元サイトの成果を計測する、上記（１）に記載の情報処理装置。
（７）前記成果計測部は、前記ユーザー端末にダウンロードされたアプリケーションの初回起動時に、所定のサーバーに対する所定の登録手続きが終了した時点で、前記紹介元サイトの成果を計測する、上記（１）に記載の情報処理装置。
（８）前記ユーザー端末にダウンロードされたアプリケーションは、初回起動時に前記ユーザー端末内の非接触ＩＣチップから成果の計測に必要な情報を読み取って所定のサーバーに送信し、前記成果計測部は、前記所定のサーバー経由で受け取った成果の計測に必要な前記情報に基づいて対応する紹介元サイトの成果を計測する、上記（１）に記載の情報処理装置。
（９）前記ユーザー端末上で起動したアプリケーションは、前記ユーザー端末内の非接触ＩＣチップから個体識別ＩＤを読み取って所定のサーバーに送信し、前記成果計測部は、前記所定のサーバー経由で受け取った個体識別ＩＤを前記送客情報管理部で保存している送客情報と照会して、対応する紹介元サイトの成果を計測する、上記（１）に記載の情報処理装置。
（１０）前記送客情報管理部は、送客情報を対応するユーザー端末内の非接触ＩＣチップに書き込み、前記ユーザー端末上で起動したアプリケーションは、前記ユーザー端末内の非接触ＩＣチップから送客情報を読み取って所定のサーバーに送信し、前記成果計測部は、前記所定のサーバー経由で受け取った送客情報に基づいて、対応する紹介元サイトの成果を計測する、上記（１）に記載の情報処理装置。
（１１）アプリケーションの紹介元サイトを識別するコンテンツＩＤと、前記紹介元サイトにアクセスしたユーザー端末を識別する個体識別ＩＤを取得して、送客情報として管理する送客情報管理ステップと、アプリケーションをダウンロードしたユーザー端末の個体識別ＩＤを含む情報を取得して、前記送客情報管理ステップにより管理する送客情報と照合して、対応する送客情報に含まれるコンテンツＩＤで識別される前記紹介元サイトの成果として計測する成果計測ステップと、を有する情報処理方法。
（１２）アプリケーションの紹介元サイトと、少なくとも個体識別ＩＤを格納した非接触ＩＣチップを装備し、アプリケーションの紹介元サイトで紹介されるアプリケーションをアプリケーション・ダウンロード・サイトからダウンロードするユーザー端末と、ユーザー端末がダウンロードしたアプリケーションに関する所定の手続きを行なうコンテンツ供給サーバーと、アプリケーションの紹介元サイトを識別するコンテンツＩＤと、前記紹介元サイトにアクセスしたユーザー端末を識別する個体識別ＩＤを取得して、送客情報として管理するとともに、前記所定の手続きを行なうユーザー端末内の非接触ＩＣチップから前記コンテンツ供給サーバーが読み取った情報を前記送客情報と照合して、対応する送客情報に含まれるコンテンツＩＤで識別される前記紹介元サイトの成果として計測するアフィリエイト計測システムと、を具備する情報通信システム。
（１３）アプリケーションの紹介元サイトを識別するコンテンツＩＤと、前記紹介元サイトにアクセスしたユーザー端末を識別する個体識別ＩＤを取得して、送客情報として管理する送客情報管理部、アプリケーションをダウンロードしたユーザー端末の個体識別ＩＤを含む情報を取得して、前記送客情報管理部で管理する送客情報と照合して、対応する送客情報に含まれるコンテンツＩＤで識別される前記紹介元サイトの成果として計測する成果計測部、としてコンピューターを機能させるようコンピューター可読形式で記述されたコンピューター・プログラム。
【産業上の利用可能性】
【０１０４】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１０５】
本明細書では、非接触ＩＣチップを搭載した多機能端末にアプリケーションをダウンロードする実施形態を中心に説明してきたが、本明細書で開示する技術の要旨はこれに限定されるものではない。例えば、非接触ＩＣチップを搭載したさまざまなタイプの情報端末にダウンロードを行なう場合や、また、アプリケーション以外のコンテンツをダウンロードする場合であっても、同様に非接触ＩＣチップを利用して、安全な値により成果をトラッキングすることは可能である。
【０１０６】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【０１０７】
１００…情報通信システム
１１０…ユーザー端末
１２０…アフィリエイト計測システム
１３０…アプリケーション・ダウンロード・サイト
１４０…コンテンツ供給（ＣＰ）サーバー
【図１】
0005975745.tif 000002
【図２】
0005975745.tif 000003
【図３】
0005975745.tif 000004